(57)【要約】      （修正有）【課題】外部モジュールのモジュールコネクタ内への信頼でき正確な位置決め組付けが確保されるモジュールコネクタの提供。【解決手段】絶縁ケース、絶縁ケース内部に収容された複数の端子、絶縁ケース外部に固定された挟持ケースを具え、絶縁ケースが四つの側板を具え、四つの側板の包囲により嵌挿空間が形成されて外部モジュールを内部に収容し、各側板に複数の端子溝が開設され、複数の端子が該端子溝に対応しそれに収容され並びに外部モジュールと電気的に接続され、挟持ケースが絶縁ケースの側板外側面に対応するよう固定された四つの挟持板を具え、各挟持板の上端に嵌挿空間に向けて突出する圧接片と押圧片が設けられ、圧接片が下向きに外部モジュールに圧接し、押圧片が外部モジュールの側壁を押圧する。【選択図】図２
0003109668.tif 000002
【実用新案登録請求の範囲】
【請求項１】
絶縁ケース、複数の端子、挟持ケースを具え、
該絶縁ケースは四つの側板を具え、四つの側板の包囲により嵌挿空間が形成されて外部モジュールを収容し、各側板に複数の端子溝が開設され、
該複数の端子は該絶縁ケースの対応する該端子溝に収容され並びに外部モジュールと電気的に導通し、
該挟持ケースは絶縁ケースの対応する側板外側面に固定された四つの挟持板を具え、各挟持板の上端に嵌挿空間に向けて突出する圧接片と押圧片が設けられ、圧接片が下向きに外部モジュールに圧接し、押圧片が外部モジュールの側壁を押圧することを特徴とする、モジュールコネクタ。
【請求項２】
請求項１記載のモジュールコネクタにおいて、端子が圧接部を具え、該圧接部が絶縁ケースの端子溝より突出して嵌挿空間内に進入して外部モジュールの側壁と圧接して組み合わされることを特徴とする、モジュールコネクタ。
【請求項３】
請求項２記載のモジュールコネクタにおいて、端子が垂直な基部を具えて絶縁ケースの端子溝と干渉を形成するよう組み合わされ、基部の上端が下向きに折り曲げられて弾性圧接アームが形成されて端子溝内に収容され、圧接アームの底端が続いて上向きに傾斜するよう折り曲げられて弾性導通アームが形成され、該圧接アームのほぼ中部に導通アームに向けて突出する圧接部が形成され、導通アームの自由端より上向きに導通部が突出して外部モジュールと電気的に導通することを特徴とする、モジュールコネクタ。
【請求項４】
請求項３記載のモジュールコネクタにおいて、絶縁ケースが底板を具え、側板が底板の四周に配設され、端子溝はＬ形を呈して側板内壁に位置する垂直部と底板に位置する水平部を具え、該端子の圧接アーム及び導通アームがそれぞれ該垂直部と水平部内に収容されることを特徴とする、モジュールコネクタ。
【請求項５】
請求項２記載のモジュールコネクタにおいて、押圧片がモジュールコネクタの各一側の中心線の一側に位置し、複数の端子がモジュールコネクタの各一側の中心線の両側に配設され、押圧片とそれと同側の端子の外部モジュールに対する圧接合力が中心線の別側の全ての端子の外部モジュールに対する圧接合力と等しいことを特徴とする、モジュールコネクタ。
【請求項６】
請求項１記載のモジュールコネクタにおいて、絶縁ケースの各側板にあって挟持ケースの圧接片と押圧片に対応する位置に切欠きが設けられ、該切欠きが横向きに絶縁ケースの側板を貫通し、該切欠きの底端が閉じ、該切欠きの上端と外界が連通することを特徴とする、モジュールコネクタ。
【請求項７】
請求項１記載のモジュールコネクタにおいて、絶縁ケースにうっかり防止ブロックが設けられて、外部モジュールに設けられたうっかり防止溝に対応し組み合わされることを特徴とする、モジュールコネクタ。
【請求項８】
請求項１記載のモジュールコネクタにおいて、挟持ケースが一体加工され、並びに四つの挟持板が止め合わされて形成されたことを特徴とする、モジュールコネクタ。
【請求項９】
請求項１記載のモジュールコネクタにおいて、圧接片の自由端が挟持板に向けて折り曲げられてフック状の圧接部が形成され、押圧片の自由端が嵌挿空間に向けて折り曲げられて弾性押圧部が形成されたことを特徴とする、モジュールコネクタ。
【考案の詳細な説明】
【技術分野】
【０００１】
本考案は一種のモジュールコネクタに係り、特にデジタルカメラのレンズモジュールを保持するためのモジュールコネクタに関する。
【背景技術】
【０００２】
デジタルカメラ技術の発展と普及により、ますます多くの携帯電話等の消費電子製品にデジタル撮影機能が整合されるようになった。よく目にされる設計は消費電子製品の本体にモジュールコネクタが組付けられて、外部デジタルカメラレンズモジュールがこのモジュールコネクタに組付けられ、これによりデジタル撮影機能の整合を達成する設計である。
【０００３】
特許文献１には上述のデジタルカメラレンズモジュールを保持するためのモジュールコネクタが開示されている。このモジュールコネクタは矩形の絶縁ケースを具え、この絶縁ケースの四つの側板の包囲により嵌挿空間が形成されてデジタルカメラレンズモジュールの嵌挿に供される。各側板内壁には複数の端子が収容され、各端子の嵌挿空間に向けて突出する圧接導通部が、レンズモジュールの側壁に当接し並びにレンズモジュール側壁に設けられた導電片と電気的に導通し、これによりレンズモジュールのモジュールコネクタに対する水平移動が防止されると共に、レンズモジュールとモジュールコネクタ間の電気的導通が達成される。
【０００４】
周知のモジュールコネクタは更に四つの金属挟持板を具え、各挟持板の上端両側が下向きに折り曲げられて挟持片が形成されて絶縁ケースの対応側板を挟持し、これによりこれら挟持板と絶縁ケース間の組付けが達成される。各挟持板の二つの挟持片の間のそのうち一つの挟持片近くが下向きに折り曲げられて圧接片が形成され、下向きにレンズモジュールの上面に圧接し並びにレンズモジュール上面に設けられた接地片と電気的に接続され、これによりレンズモジュールのモジュールコネクタに対する垂直移動が防止され、並びにレンズモジュール及びモジュールコネクタが接地される。
【０００５】
ただし、絶縁ケース側板内壁に収容された端子は側板の厚さの制限を受け、その圧接導通部の弾性収縮空間は有限であり、水平方向の弾性オフセット量は小さく、十分な圧接力をレンズモジュールの側壁に提供できず、ゆえにこの周知の設計はレンズモジュールとモジュールコネクタの水平方向の組合せが強固でなく、レンズモジュールのモジュールコネクタ内への正確な、信頼できる位置決め、組付けが行なえない。もし端子強度を増強して圧接導通部のレンズモジュール側壁に対する圧接力を増すなら、レンズモジュールが持続的圧接作用の下で、十分な強度の端子が弾性不足による疲労のために失効しやすく、このため、やはりレンズモジュールのモジュールコネクタ内への正確で、信頼できる位置決め、組付けが行なえなくなる。
【０００６】
【特許文献１】特開第２００４−２４１２２５号明細書
【考案の開示】
【考案が解決しようとする課題】
【０００７】
本考案は周知の技術の問題に対して、一種のモジュールコネクタを提供することを目的とし、それは、絶縁ケース、絶縁ケース内部に収容された複数の端子、絶縁ケース外部に固定された挟持ケースを具え、絶縁ケースが四つの側板を具え、四つの側板の包囲により嵌挿空間が形成されて外部モジュールを内部に収容し、各側板に複数の端子溝が開設され、複数の端子が対応する端子溝に収容され並びに外部モジュールと電気的に接続され、挟持ケースが絶縁ケースの対応する側板外側面に固定された四つの挟持板を具え、各挟持板の上端に嵌挿空間に向けて突出する圧接片と押圧片が設けられ、圧接片が下向きに外部モジュールに圧接し、押圧片が外部モジュールの側壁を押圧し、これにより挟持ケースが側板の外側面に固定され、側板の横向きの幅を占拠する必要なく、周知の技術の端子の圧接導通部に較べて挟持ケースの押圧片は十分な水平弾性オフセット量を具え、これにより十分な圧接力を以てレンズモジュールの側壁に圧接し、これによりレンズモジュールの本考案のモジュールコネクタ内への信頼でき、正確な位置決め、組付けが確保される。
【課題を解決するための手段】
【０００８】
請求項１の考案は、絶縁ケース、複数の端子、挟持ケースを具え、
該絶縁ケースは四つの側板を具え、四つの側板の包囲により嵌挿空間が形成されて外部モジュールを収容し、各側板に複数の端子溝が開設され、
該複数の端子は該絶縁ケースの対応する該端子溝に収容され並びに外部モジュールと電気的に導通し、
該挟持ケースは絶縁ケースの対応する側板外側面に固定された四つの挟持板を具え、各挟持板の上端に嵌挿空間に向けて突出する圧接片と押圧片が設けられ、圧接片が下向きに外部モジュールに圧接し、押圧片が外部モジュールの側壁を押圧することを特徴とする、モジュールコネクタとしている。
請求項２の考案は、請求項１記載のモジュールコネクタにおいて、端子が圧接部を具え、該圧接部が絶縁ケースの端子溝より突出して嵌挿空間内に進入して外部モジュールの側壁と圧接して組み合わされることを特徴とする、モジュールコネクタとしている。
請求項３の考案は、請求項２記載のモジュールコネクタにおいて、端子が垂直な基部を具えて絶縁ケースの端子溝と干渉を形成するよう組み合わされ、基部の上端が下向きに折り曲げられて弾性圧接アームが形成されて端子溝内に収容され、圧接アームの底端が続いて上向きに傾斜するよう折り曲げられて弾性導通アームが形成され、該圧接アームのほぼ中部に導通アームに向けて突出する圧接部が形成され、導通アームの自由端より上向きに導通部が突出して外部モジュールと電気的に導通することを特徴とする、モジュールコネクタとしている。
請求項４の考案は、請求項３記載のモジュールコネクタにおいて、絶縁ケースが底板を具え、側板が底板の四周に配設され、端子溝はＬ形を呈して側板内壁に位置する垂直部と底板に位置する水平部を具え、該端子の圧接アーム及び導通アームがそれぞれ該垂直部と水平部内に収容されることを特徴とする、モジュールコネクタとしている。
請求項５の考案は、請求項２記載のモジュールコネクタにおいて、押圧片がモジュールコネクタの各一側の中心線の一側に位置し、複数の端子がモジュールコネクタの各一側の中心線の両側に配設され、押圧片とそれと同側の端子の外部モジュールに対する圧接合力が中心線の別側の全ての端子の外部モジュールに対する圧接合力と等しいことを特徴とする、モジュールコネクタとしている。
請求項６の考案は、請求項１記載のモジュールコネクタにおいて、絶縁ケースの各側板にあって挟持ケースの圧接片と押圧片に対応する位置に切欠きが設けられ、該切欠きが横向きに絶縁ケースの側板を貫通し、該切欠きの底端が閉じ、該切欠きの上端と外界が連通することを特徴とする、モジュールコネクタとしている。
請求項７の考案は、請求項１記載のモジュールコネクタにおいて、絶縁ケースにうっかり防止ブロックが設けられて、外部モジュールに設けられたうっかり防止溝に対応し組み合わされることを特徴とする、モジュールコネクタとしている。
請求項８の考案は、請求項１記載のモジュールコネクタにおいて、挟持ケースが一体加工され、並びに四つの挟持板が止め合わされて形成されたことを特徴とする、モジュールコネクタとしている。
請求項９の考案は、請求項１記載のモジュールコネクタにおいて、圧接片の自由端が挟持板に向けて折り曲げられてフック状の圧接部が形成され、押圧片の自由端が嵌挿空間に向けて折り曲げられて弾性押圧部が形成されたことを特徴とする、モジュールコネクタとしている。
【考案の効果】
【０００９】
本考案のモジュールコネクタは、絶縁ケース、絶縁ケース内部に収容された複数の端子、絶縁ケース外部に固定された挟持ケースを具え、絶縁ケースが四つの側板を具え、四つの側板の包囲により嵌挿空間が形成されて外部モジュールを内部に収容し、各側板に複数の端子溝が開設され、複数の端子が対応する該端子溝に収容され並びに外部モジュールと電気的に接続され、挟持ケースが絶縁ケースの対応する側板外側面に固定された四つの挟持板を具え、各挟持板の上端に嵌挿空間に向けて突出する圧接片と押圧片が設けられ、圧接片が下向きに外部モジュールに圧接し、押圧片が外部モジュールの側壁を押圧し、これにより外部モジュールの本考案のモジュールコネクタ内への信頼でき正確な位置決め組付けが確保される。
【考案を実施するための最良の形態】
【００１０】
図１、２に示されるように、本考案のモジュールコネクタ１０の第１実施例は絶縁ケース２０を具え、絶縁ケース２０の内部には複数の端子３０が収容され、絶縁ケース２０の外部は金属の挟持ケース４０で被覆されている。
【００１１】
絶縁ケース２０は矩形の底板２１を具え、矩形の底板２１の四側辺より上向きに側板２２が延伸され、四つの側板２２の共同の包囲により嵌挿空間２３が形成されている。そのうち、前後の対向する側板２２の両側に嵌合溝２４が設けられ、左右の対向する側板２２のほぼ中央にそれぞれ係止ブロック２５が設けられている。各側板２２の一側に切欠き２６が凹設され、切欠き２６は横向きに側板２２を貫通し、切欠き２６底端は閉じられ、切欠き２６上端は外界と連通している。各側板２２の別の一側に側板２２の内壁に沿って縦向きに複数の相互に平行な端子溝２７が開設され、端子溝２７の上端は閉じられ、底端と外界が連通し並びに底板２１に沿って続けて前向きに所定距離延伸されて各端子溝２７がＬ形を呈するよう配置される。
【００１２】
各端子３０は垂直な基部３１を具え、該基部３１の底端が水平に後ろ向きに折り曲げられてソルダー部３２が形成され、基部３１の上端が下向きに折り曲げられて弾性圧接アーム３３が形成され、弾性圧接アーム３３の底端が続いて傾斜するよう上向きに折り曲げられて弾性導通アーム３４が形成されている。上述の弾性圧接アーム３３のほぼ中間部に弾性導通アーム３４に向けて突出する圧接部３５が形成され、導通アーム３４の自由端に上向きに延伸された導通部３６が設けられている。
【００１３】
挟持ケース４０は板材を一体加工成形してなり、並びに四つの挟持板４１が止め合わされて成る。組立時には、一回の操作で四つの挟持板４１が絶縁ケース２０に組付けられる。ゆえに、挟持ケース４０の一体設計により組立プロセスを簡易化でき、組立エラーを防止し組立の強固性を増すことができる。上述の四つの挟持板４１の共同包囲により、上下に貫通する収容空間４２が形成される。そのうち、前後の対向する挟持板４１の両側に係合孔４３が設けられ、左右の対向する挟持板４１のほぼ中央に係止孔４４が設けられ、左右の対向する挟持板４１の両側が収容空間４２に向けて垂直に折り曲げられて嵌合アーム４５が形成され、各嵌合アーム４５に外向きに突出する係合ブロック４６が設けられ、係合ブロック４６が係合孔４３に係合し、これにより二つの隣り合う挟持板４１が強固に止め合わされる。各挟持板４１の上端の一側に収容空間４２に向けて下向きに折り曲げられた圧接片４７と押圧片４８が設けられ、別の一側に収容空間４２に向けて水平に折り曲げられた蓋板４９が設けられている。そのうち、押圧片４８は圧接片４７及び蓋板４９の間に位置し、圧接片４７の自由端に挟持板４１に向けて折り曲げられたフック状の圧接部４７２が設けられ、押圧片４８の自由端に収容空間４２に向けて折り曲げられた弾性押圧部４８２が形成されている。
【００１４】
図６及び図７に示されるように、本考案のモジュールコネクタ１０の第１実施例を組み立てる時は、端子３０の基部３１が絶縁ケース２０の端子溝２７内に嵌止され、圧接アーム３３と導通アーム３４はそれぞれ端子溝２７の側板２２に位置する垂直部と底板２１に位置する水平部内に収容され、圧接アーム３３の圧接部３５及び導通アーム３４の導通部３６が端子溝２７より露出して嵌挿空間２３内に進入する。挟持ケース４０は下向きに絶縁ケース２０外側面に係合し、挟持ケース４０の収容空間４２と絶縁ケース２０の嵌挿空間２３が重なり合い、外部デジタルカメラレンズモジュール５０を収容する（図４、５参照。後で詳しく説明する。）。絶縁ケース２０の係止ブロック２５は挟持ケース４０の係止孔４４内に係合し、これにより挟持ケース４０の絶縁ケース２０に対する上向きの運動が制限され、挟持ケース４０の蓋板４９が絶縁ケース２０の側板２２上面を被覆し、これにより挟持ケース４０の絶縁ケース２０に対する下向きの運動が制限される。挟持ケース４０の嵌合アーム４５は絶縁ケース２０の嵌合溝２４内に進入し、これにより挟持ケース４０と絶縁ケース２０が水平方向の係合が緊密とされて、相対運動が防止される。挟持ケース４０の圧接片４７と押圧片４８は絶縁ケース２０の切欠き２６に対応し並びにここより嵌挿空間２３内に進入する。
【００１５】
更に図４に示されるように、本考案のモジュールコネクタ１０の第１実施例と組み合わされるデジタルカメラレンズモジュール５０は、矩形の底座５１を具え、底座５１の上面にレンズシート５２が固定され、底座５１の上面の四つの角部に圧接溝５３が形成され、底面に複数の金属導電片（図示せず）が配設される。
【００１６】
更に図５から図７を参照されたい。組立時に、レンズモジュール５０が下向きに嵌挿空間２３内に挿入され、レンズモジュール５０の底座５１の側壁が外向きに端子３０の圧接部３５及び挟持ケース４０の押圧部４８２に圧接し、端子３０の圧接アーム３３及び挟持ケース４０の押圧片４８がそれぞれ絶縁ケース２０の端子溝２７及び切欠き２６に向けて弾性収縮し、これにより本考案のモジュールコネクタ１０とレンズモジュール５０が水平方向上で緊密に圧接されて相対運動不能とされる。挟持ケース４０の圧接片４７がレンズモジュール５０の上面の圧接溝５３内に進入し、フック状の圧接部４７２が下向きに圧接溝５３のある底座５１の壁面に圧接し、これにより本考案のモジュールコネクタ１０とレンズモジュール５０が垂直方向に緊密に圧接し、相対運動不能とされる。端子３０の導通部３６はレンズモジュール５０の底座５１の底面の金属の導電片に圧接並びに導通し、これにより本考案のモジュールコネクタ１０とレンズモジュール５０の間の信号伝送が達成される。
【００１７】
図６及び図７に示されるように、挟持ケース４０は絶縁ケース２０外側面に固定されて、絶縁ケース２０の側板２２の横向き幅を占拠しないため、周知の技術の端子の圧接導通部に較べ、挟持ケース４０の押圧片４８は十分な水平弾性オフセット量を有し、十分な圧接力を提供して、レンズモジュール５０の側壁に圧接し、これによりレンズモジュール５０の本考案のモジュールコネクタ１０内への信頼でき、正確な位置決め、組付けが確保され、レンズモジュール５０と本考案のモジュールコネクタ１０の水平方向上の接触が更に緊密とさせ、ゆえに両者が強固に確実に一体に組付けられる。
【００１８】
図３及び図７を参照されたい。そのうち図３の点線は本考案のモジュールコネクタ１０の各一側の中心線を示す。図３に示されるように、本考案のモジュールコネクタ１０の各一側は中心線の一側に四つの端子３０が配設され、もう一側に一つの端子３０と一つの圧接片４７及び一つの押圧片４８が配設されている。図７に示されるように、挟持ケース４０の押圧片４８は十分な水平弾性オフセット量を有し、これにより端子３０が絶縁ケース２０の側板２２内に収容され、端子３０の圧接部３５が小さい水平弾性オフセット量を有し、ゆえに、各押圧片４８の圧接力は各端子３０の圧接力より大きい。好ましい状態では、中心線の一側の押圧片４８及びこの側の端子３０の圧接合力は中心線のもう一側の全ての端子３０の圧接合力に等しく、且つ押圧片４８及び端子３０は本考案のモジュールコネクタ１０の各一側にあって同じ配置とされ、これによりレンズモジュール５０の嵌挿空間２３内での水平回転及び水平移動が防止され、これにより更にレンズモジュール５０の本考案のモジュールコネクタ１０内への正確で信頼できる位置決め、組付けが達成される。
【００１９】
最後に図８と図９に示される本考案のモジュールコネクタ１０の第２実施例の第１実施例との違いは、別にうっかり防止機構が設けられていることである。即ち絶縁ケース２０の底板２１の一側辺の両端に垂直に上向きにうっかり防止ブロック２８が延伸され、レンズモジュール５０の底座５１の一側面の両側にうっかり防止溝５８が形成され、うっかり防止溝５８が並びに底座５１の上面の圧接溝５３と連通する。組立時には、うっかり防止溝５８とうっかり防止ブロック２８が対応する時だけ、レンズモジュール５０をモジュールコネクタ１０の嵌挿空間２３に挿入でき、そうでなければ、レンズモジュール５０とうっかり防止ブロック２８が干渉を発生して一体に組合せ不能となり、ゆえに、このようなうっかり防止設計により本考案のモジュールコネクタ１０とレンズモジュール５０間の正確で、信頼できる位置決め組付けが完成する。
【図面の簡単な説明】
【００２０】
【図１】本考案のモジュールコネクタの第１実施例の立体組合せ図である。
【図２】図１の立体分解図である。
【図３】図１の平面図である。
【図４】図１のモジュールコネクタに組み合わされるデジタルカメラレンズモジュールの立体図である。
【図５】図１のモジュールコネクタと図４のデジタルカメラレンズモジュールの組合せ後の平面図である。
【図６】図５のＶＩ−ＶＩ断面図である。
【図７】図５のＶII−ＶII断面図である。
【図８】本考案のモジュールコネクタの第２実施例とデジタルカメラレンズモジュールの組合せ後の平面図である。
【図９】本考案のモジュールコネクタの第２実施例に組み合わされるデジタルカメラレンズモジュールの立体図である。
【符号の説明】
【００２１】
１０  モジュールコネクタ          ２０  絶縁ケース
２１  底板                        ２２  側板
２３  嵌挿空間                    ２４  嵌合溝
２５  係止ブロック                ２６  切欠き
２７  端子溝                      ２８  うっかり防止ブロック
３０  端子                        ３１  基部
３２  ソルダー部                  ３３  圧接アーム
３４  導通アーム                  ３５  圧接部
３６  導通部                      ４０  挟持ケース
４１  挟持板                      ４２  収容空間
４３  係合孔                      ４４  係止孔
４５  嵌合アーム                  ４６  係合ブロック
４７  圧接片                      ４７２  圧接部
４８  押圧片                      ４８２  押圧部
４９  蓋板                        ５０  レンズモジュール
５１  底座                        ５２  レンズシート
５３  圧接溝                      ５８  うっかり防止溝
【図１】
0003109668.tif 000003
【図２】
0003109668.tif 000004
【図３】
0003109668.tif 000005
【図４】
0003109668.tif 000006
【図５】
0003109668.tif 000007
【図６】
0003109668.tif 000008
【図７】
0003109668.tif 000009
【図８】
0003109668.tif 000010
【図９】
0003109668.tif 000011